(57)【特許請求の範囲】
【請求項１】
一端に斜面を有する固定部材を備えた支軸と、該支軸に挿通され、前記固定部材の前記斜面と摺動可能な斜面を有する可動部材と、該可動部材を前記固定部材側に押圧する押圧手段とを備えた基板固定装置において、
該基板固定装置の前記支軸に基板を固定し、該基板と一体になった該基板固定装置を筐体に装着した際に、該筐体の外部から該基板固定装置の前記可動部材を移動させるための操作部を設け、
前記操作部は、前記可動部材に螺設された雌ねじであって、前記筐体に穿設された貫通孔を介して挿入される雄ねじと螺合することを特徴とする基板固定装置。
【請求項２】
一端に斜面を有する固定部材を備えた支軸と、該支軸に挿通され、前記固定部材の前記斜面と摺動可能な斜面を有する可動部材と、該可動部材を前記固定部材側に押圧する押圧手段とを備えた基板固定装置において、
前記可動部材を前記固定部材側とは反対側に付勢する付勢手段と、
該基板固定装置の前記支軸に基板を固定し、該基板と一体になった該基板固定装置を筐体に装着した際に、該筐体の外部から該基板固定装置の前記可動部材を移動させるための操作部とを設け、
前記付勢手段は、前記支軸に固定され、前記可動部材の前記支軸に面する内周面に突設された突起部とその端部が係合する板ばねであり、
前記操作部は、前記可動部材に螺設された雌ねじであって、前記筐体に穿設された貫通孔を介して挿入される雄ねじと螺合することを特徴とする基板固定装置。
【請求項３】
前記可動部材を複数備え、複数の可動部材の少なくとも１つの可動部材に、該可動部材を前記固定部材側とは反対側に付勢する付勢手段を設けたことを特徴とする請求項１又は２に記載の基板固定装置。
【請求項４】
前記可動部材を複数備え、複数の可動部材の少なくとも１つの可動部材に、前記操作部を設けたことを特徴とする請求項１、２又は３に記載の基板固定装置。
【発明の詳細な説明】
【０００１】
【発明の属する技術分野】
本発明は、基板固定装置に関し、特に、回路等を実装したプリント基板を筐体内に並設された溝等に押圧固定するための基板固定装置に関する。
【０００２】
【従来の技術】
従来、図１０に示すように、回路等を実装したプリント基板（以下「基板」と略称する）６１を筐体６２内の溝６３に固定するため、図１１に示すような基板固定装置６４が用いられている。
【０００３】
この基板固定装置６４は、全体の支軸として機能する第１部材６５と、ねじ６６の締め付けにより移動する第２部材６７〜第５部材７０と、第１部材６５に固定された第６部材７１とで構成される。
【０００４】
第１部材６５は、固定対象の基板６１（図１０）に固定される。この固定により、第６部材７１の位置も固定される。そして、基板固定装置６４を伴う基板６１を、溝６３を有する筐体６２に取り付ける際に、基板固定装置６４の前面のねじ６６を締め付けることにより、第２部材６７〜第５部材７０が図１１（ｂ）において右側に移動し、かつ、各部材６７〜７０の接触面に角度が付けられているため、上下方向にも移動する。この部材６７〜７０の移動により、基板固定装置６４が溝６３内に拡がり、基板６１を固定する。
【０００５】
【発明が解決しようとする課題】
しかし、上記従来の基板固定装置においては、複数の金属部材の摩擦力を利用して基板を固定するため、振動等の外的荷重により、部材間（例えば、第２部材６７と第３部材６８の接触面）に大きな摺動摩擦が発生し、その部分が噛みつく可能性がある。この場合、ねじを弛緩しても、部材に力が加わらないため、部材は、そのままの状態で保持される。特に、非常に弱い力の噛みつきが発生した場合でも、その状態が維持されるという問題があった。
【０００６】
また、基板固定装置が基板の側面に位置し、筐体内に完全に埋まり込むため、上記噛みつきが発生した場合には、容易に基板固定装置を取り扱うことができず、噛みついた部分を引き放して、噛みつきを解消するのが非常に困難であるという問題があった。
【０００７】
そこで、本発明は上記従来の基板固定装置における問題点に鑑みてなされたものであって、基板の固定に用いる基板固定装置が振動等の外部荷重を受けた際に、摺動摩擦等によって発生する噛みつきを防止するとともに、万が一、噛みつきが発生した場合でも容易に解消することのできる基板固定装置を提供することを目的とする。
【００１１】
【課題を解決するための手段】
上記目的を達成するため、請求項１記載の発明は、一端に斜面を有する固定部材を備えた支軸と、該支軸に挿通され、前記固定部材の前記斜面と摺動可能な斜面を有する可動部材と、該可動部材を前記固定部材側に押圧する押圧手段とを備えた基板固定装置において、該基板固定装置の前記支軸に基板を固定し、該基板と一体になった該基板固定装置を筐体に装着した際に、該筐体の外部から該基板固定装置の前記可動部材を移動させるための操作部を設け、前記操作部は、前記可動部材に螺設された雌ねじであって、前記筐体に穿設された貫通孔を介して挿入される雄ねじと螺合することを特徴とする。
【００１２】
請求項１記載の発明によれば、操作部を介して、筐体の外部から基板固定装置の可動部材を移動させることができるため、噛みつきが発生しても、可動部材と固定部材との間隔を強制的に変動させ、各部材間に相対変位を生じさせることにより、噛みつき部分には相対変位を拘束する反力が発生し、この反力と押圧手段の押圧力との平衡が崩れることにより、噛みつきが解消される。
【００１４】
請求項２記載の発明は、一端に斜面を有する固定部材を備えた支軸と、該支軸に挿通され、前記固定部材の前記斜面と摺動可能な斜面を有する可動部材と、該可動部材を前記固定部材側に押圧する押圧手段とを備えた基板固定装置において、前記可動部材を前記固定部材側とは反対側に付勢する付勢手段と、該基板固定装置の前記支軸に基板を固定し、該基板と一体になった該基板固定装置を筐体に装着した際に、該筐体の外部から該基板固定装置の前記可動部材を移動させるための操作部とを設け、前記付勢手段は、前記支軸に固定され、前記可動部材の前記支軸に面する内周面に突設された突起部とその端部が係合する板ばねであり、前記操作部は、前記可動部材に螺設された雌ねじであって、前記筐体に穿設された貫通孔を介して挿入される雄ねじと螺合することを特徴とする。
【００１５】
請求項２記載の発明によれば、付勢手段によって、可動部材を固定部材側とは反対側に付勢するため、押圧手段によって可動部材を固定部材側に押圧する力を緩めることにより、前記可動部材が固定部材から離れる方向に付勢することができ、両者の間の噛みつきを防止することができる。また、万一、噛みつきが発生しても、操作部を介して、筐体の外部から基板固定装置の可動部材を移動させることができるため、可動部材と固定部材との間隔を強制的に変動させ、各部材間に相対変位を生じさせることにより、噛みつき部分には相対変位を拘束する反力が発生し、この反力と押圧手段の押圧力との平衡が崩れることにより、噛みつきが解消される。
【００１６】
請求項３記載の発明は、請求項１又は２に記載の基板固定装置において、前記可動部材を複数設け、複数の可動部材の少なくとも１つの可動部材に、該可動部材を前記固定部材側とは反対側に付勢する付勢手段を設けたことを特徴とする。これによって、可動部材を複数備える基板固定装置においても、各部材間の噛みつきを防止することができる。
【００１７】
請求項４記載の発明は、請求項１、２又は３に記載の基板固定装置において、前記可動部材を複数設け、複数の可動部材の少なくとも１つの可動部材に、前記操作部を設けたことを特徴とする。これによって、可動部材を複数備える基板固定装置において、噛みつきが発生しても、噛みつきを解消することができる。
【００１８】
【発明の実施の形態】
次に、本発明にかかる基板固定装置の実施の形態の具体例を図面を参照しながら説明する。
【００１９】
図１乃至図３は、本発明にかかる基板固定装置の第１実施例を示し、この基板固定装置１は、回路等を実装した基板を筐体内の溝等に固定するために使用され、この基板固定装置１が振動等の外部荷重を受けた際に、摺動摩擦等によって発生する噛みつきを防止するための構成を備える。
【００２０】
この基板固定装置１は、全体の支軸として機能する第１部材２と、押圧手段としてのねじ３の締め付けにより移動する可動部材としての第２部材４〜第５部材７と、第１部材２に固定された第６部材８とを備える点は、従来の基板固定装置６４と同様である。
【００２１】
本発明にかかる基板固定装置１は、図２に詳細に描かれているように、第１部材２に付勢手段としての板ばね９が保持され、第４部材６の第１部材２に面する内周面に、板ばね９の反力を各部材４〜７に伝達するための突起６ａを備えたことを特徴としている。
【００２２】
次に、上記構成を有する基板固定装置１の動作について、図３を参照しながら説明する。
【００２３】
第１部材２は、図示しない固定対象の基板に固定され、同時に第６部材８の位置も固定される。そして、基板固定装置１を伴う基板を、溝を有する筐体に取り付ける際に、基板固定装置１の前面のねじ３を締め付けると、第２部材４〜第５部材７は、同図で矢印で示すように右方向に移動する。この移動により、第１部材２に設けた板ばね９と、第４部材６に設けた突起６ａとが干渉し、板ばね９の変形により、第２部材４〜第５部材７に左方向への反力が発生する。この反力は、ねじ３の弛緩により、各部材４〜７を元に戻すように、言い換えれば、各部材４〜７を引き離す方向に荷重が働くため、噛みつきを防止することができる。
【００２４】
図４は、本発明にかかる上記基板固定装置１の噛みつき防止構造の変形例を示し、第１部材２に複数の板ばね９が保持され、第４部材６に、板ばね９の反力を各部材４〜７に伝達するための突起６ａを複数設けたことを特徴としている。このように、板ばね９の数を増加させることにより、第２部材４〜第５部材７への左方向への反力を所望の値に調整することができる。
【００２５】
また、図５は、本発明にかかる基板固定装置１の噛みつき防止機構のもう一つの変形例を示し、本実施例では、板ばね１０をより厚く形成して、ばね定数を変更したものである。もちろん、板ばね９、１０の材質を変化させることによってばね定数を調整することもできる。
【００２６】
図６乃至図８は、本発明にかかる基板固定装置の第２実施例を示し、この基板固定装置１１は、回路等を実装した基板を筐体内の溝等に固定するために使用され、この基板固定装置が振動等の外部荷重を受けた際に、摺動摩擦等によって発生した噛みつきを解消するための構成を備える。
【００２７】
この基板固定装置１１は、全体の支軸として機能する第１部材２（図８）と、ねじ３の締め付けにより移動する第２部材４〜第５部材７と、第１部材２に固定された第６部材８とを備える点は、上記基板固定装置１と同様である。
【００２８】
本発明にかかる基板固定装置１１は、図６に示すように、第３部材５乃至第５部材７に噛みつきを解消させるための操作部として雌ねじ１２を螺設し、図７に示すように、基板固定装置１１を筐体６２に着脱するため、雌ねじ１２と螺合する雄ねじ１３及び座金１４を備えたことを特徴としている。尚、図７（ｂ）に示すように、筐体６２には、雄ねじ１３を貫通させるための貫通孔１５が穿設され、この貫通孔１５を挿通した雄ねじ１３が雌ねじ１２と螺合する。
【００２９】
次に、上記構成を有する基板固定装置１１の動作について、図８を参照しながら説明する。
【００３０】
基板固定装置１１が振動等の外部荷重を受けた際に、摺動摩擦等によって噛みつきが発生した場合には、筐体６２の外部から、貫通孔１５に雄ねじ１３を挿入する。全箇所（３箇所）に、雄ねじ１３を挿入し終えた時点で、任意の順番で、雄ねじ１３を締め付けて雌ねじ１２と螺合させる。この雄ねじ１３の締め付けにより、筐体６２と第２部材４〜第５部材７の各部材との間隔が強制的に変動し、各部材間で相対変位が発生する。そして、噛みつき部分には、相対変位を拘束する反力が発生し、この反力と雄ねじ１３の締め付けによる軸力の平衡が崩れ、最終的に、雄ねじ１３の軸力が大きくなり、噛みつきが解消される。
【００３１】
図９は、上記第１実施例と第２実施例の構成を同時に備えた基板固定装置２１を示し、基板固定装置２１が振動等の外部荷重を受けた際に、摺動摩擦等によって発生する噛みつきを防止することができるとともに、万が一、噛みつきが発生した場合でも、容易に噛みつきを解消することができる。尚、各構成要素については、上記両実施例と同一の参照番号を付し、詳細説明を省略する。
【００３２】
尚、上記実施例においては、可動部材（第２部材４〜第５部材７）が複数の場合について説明したが、可動部材を１つしか備えない基板固定装置についても同様に本発明を適用することができる。
【００３３】
【発明の効果】
以上説明したように、本発明にかかる基板固定装置によれば、基板の固定に用いる基板固定装置が振動等の外部荷重を受けた際に、摺動摩擦等によって発生する噛みつきを防止するとともに、万が一、噛みつきが発生した場合でも容易に解消することが可能となる。
【図面の簡単な説明】
【図１】本発明にかかる基板固定装置の第１実施例を示す図であって、（ａ）は上面図、（ｂ）は（ａ）のＡ−Ａ線断面図である。
【図２】図１のＢ部詳細図である。
【図３】図１の基板固定装置の動作を説明するための図であって、（ａ）は上面図、（ｂ）は（ａ）のＣ−Ｃ線断面図である。
【図４】図１の基板固定装置の変形例を示す図であって、（ａ）は上面図、（ｂ）は（ａ）のＤ−Ｄ線断面図である。
【図５】図１の基板固定装置のもう一つの変形例を示す図であって、図２と同様の箇所を示す断面図である。
【図６】本発明にかかる基板固定装置の第２実施例を示す図であって、（ａ）は正面、（ｂ）は上面図、（ｃ）は背面図である。
【図７】図６の基板固定装置を筐体に装着する要領を説明するための図であって、（ａ）は正面図、（ｂ）は側面図、（ｃ）は（ａ）のＥ−Ｅ線断面図である。
【図８】図６の基板固定装置の動作を説明するための図であって、（ａ）は上面図、（ｂ）は（ａ）のＦ−Ｆ線断面図である。
【図９】本発明にかかる第１実施例と第２実施例の構成を同時に備えた基板固定装置を示す図であって、（ａ）は背面図、（ｂ）は上面図、（ｃ）は正面図、（ｄ）は（ｂ）のＧ−Ｇ線断面図である。
【図１０】従来の基板固定装置の使用方法を説明するための概略斜視図である。
【図１１】従来の基板固定装置の一例を示す図であって、（ａ）は上面図、（ｂ）は（ａ）のＨ−Ｈ線断面図である。
【符号の説明】
１      基板固定装置
２      第１部材
３      ねじ
４      第２部材
５      第３部材
６      第４部材
６ａ    突起
７      第５部材
８      第６部材
９      板ばね
１０    板ばね
１１    基板固定装置
１２    雌ねじ
１３    雄ねじ
１４    座金
１５    貫通孔
２１    基板固定装置
６１    基板
６２    筐体
【図１】
0004592990.tif 000002
【図２】
0004592990.tif 000003
【図３】
0004592990.tif 000004
【図４】
0004592990.tif 000005
【図５】
0004592990.tif 000006
【図６】
0004592990.tif 000007
【図７】
0004592990.tif 000008
【図８】
0004592990.tif 000009
【図９】
0004592990.tif 000010
【図１０】
0004592990.tif 000011
【図１１】
0004592990.tif 000012